(57)【要約】【課題】  駄目穴を簡単に塞ぐことができる止水効果の高いスラブ駄目穴の養生装置を提供することである。【解決手段】  スラブ駄目穴の養生装置１は、スラブの駄目穴１９を塞ぐ止水蓋２の下面から適宜間隔をもって固定板４がガイド棒３によって設置され、該固定板４と止水蓋２との間には、ガイド棒３をガイドとして上下動する可動板５が設置され、該可動板５と固定板４との間には止水パッキン６と、可動板５を固定板４側に引っ張るバネ７とが設置され、可動板５の上面には、止水蓋２の上面から突出するパッキン収縮調整棒１１が設置されたものである。【選択図】図１
2008163645.tif 000002
【特許請求の範囲】
【請求項１】
スラブの駄目穴を塞ぐ止水蓋の下面から適宜間隔をもって固定板がガイド棒によって設置され、該固定板と止水蓋との間には、ガイド棒をガイドとして上下動する可動板が設置され、該可動板と固定板との間には止水パッキンと、可動板を固定板側に引っ張るバネとが設置され、可動板の上面には、止水蓋の上面から突出するパッキン収縮調整棒が設置されたことを特徴とするスラブ駄目穴の養生装置。
【請求項２】
スラブの駄目穴を塞ぐ止水蓋の下面から適宜間隔をもって調整ボルトによって可動板が上下動自在に設置され、該可動板と止水蓋との間には止水パッキンが設置されたことを特徴とするスラブ駄目穴の養生装置。
【請求項３】
止水パッキンは、リング状のゴム板、リング状のチューブ、リング状のスポンジのいずれかであることを特徴とする請求項１または２に記載のスラブ駄目穴の養生装置。
【発明の詳細な説明】
【技術分野】
【０００１】
本願発明はスラブ駄目穴の養生装置に関するものである。
【背景技術】
【０００２】
鉄筋コンクリート造の建物を構築する際には、階下の床の配管を行うための駄目穴をスラブに形成する。この駄目穴は止水をするが、これが完全でないと雨が降ったときに、雨水が駄目穴から階下に流れて、階下では仕上げ施工ができず、仕上げ材に雨水がかかると仕上げをやり直すこともあった。そこで、従来は、図９に示すように、駄目穴３０を合板３１で塞ぎ、その上に止水モルタル３２を被せる止水方法が採られていた。また、その他のスラブ駄目穴の止水方法としては、例えば特開２００２−７０３１７号の発明が知られている。
【特許文献１】特開２００２−７０３１７号公報
【発明の開示】
【発明が解決しようとする課題】
【０００３】
しかし、上記の止水方法は止水効果が低く、手間がかかる上に、雨が降っているときにはモルタルが固まらないという問題があり、さらに間違って止水部を蹴飛ばすと簡単に壊れてしまうという問題もあった。
【０００４】
本願発明はこれらの問題に鑑みてなされたものであり、その目的は、駄目穴を簡単に塞ぐことができる止水効果の高いスラブ駄目穴の養生装置を提供することである。
【課題を解決するための手段】
【０００５】
以上の課題を解決するためのスラブ駄目穴の養生装置は、スラブの駄目穴を塞ぐ止水蓋の下面から適宜間隔をもって固定板がガイド棒によって設置され、該固定板と止水蓋との間には、ガイド棒をガイドとして上下動する可動板が設置され、該可動板と固定板との間には止水パッキンと、可動板を固定板側に引っ張るバネとが設置され、可動板の上面には、止水蓋の上面から突出するパッキン収縮調整棒が設置されたことを特徴とする。また止水パッキンは、リング状のゴム板、リング状のチューブ、リング状のスポンジのいずれかであることを含むものである。
またスラブ駄目穴の養生装置は、スラブの駄目穴を塞ぐ止水蓋の下面から適宜間隔をもって調整ボルトによって可動板が上下動自在に設置され、該可動板と止水蓋との間には止水パッキンが設置されたことを特徴とする。また止水パッキンは、リング状のゴム板、リング状のチューブ、リング状のスポンジのいずれかであることを含むものである。
【発明の効果】
【０００６】
スラブの駄目穴を塞ぐ止水蓋の下面にガイド棒によって固定板が設置され、該固定板と止水蓋との間には、ガイド棒をガイドとして上下動する可動板が設置され、該可動板と固定板との間には止水パッキンと、可動板を固定板側に引っ張るバネとが設置され、可動板の上面には、止水蓋の上面から突出するパッキン収縮調整棒が設置された養生装置にしたことにより、どのような現場におけるどのような駄目穴であっても使用することができる。また雨の日でも養生装置を駄目穴に設置することができる。また養生装置を上階から駄目穴に設置することができるので安全である。また養生装置の転用が何回でも可能である。
【発明を実施するための最良の形態】
【０００７】
以下、本願発明のスラブ駄目穴の養生装置（以下養生装置という）の実施の形態について説明する。この養生装置の各実施の形態において同じ構成は同じ符号を付して説明し、異なった構成にのみ異なった符号を付して説明する。
【０００８】
この養生装置は鉄筋コンクリート造のスラブに形成された駄目穴に設置して完璧な止水を行うとともに、止水が終わった後に撤去して他の箇所に転用するものである。
【０００９】
図１〜図３は第１の実施の形態の養生装置１を示すものである。この養生装置１は円形の止水蓋２と、この止水蓋２の下面に４本のガイド棒３によって適宜間隔をもって設置された円形の固定板４と、該固定板４と止水蓋２との間に設置された円形の可動板５と、該可動板５と固定板４との間に設置された止水パッキン６とから構成されている。
【００１０】
この可動板５と固定板４との間には、可動板５を固定板４側に常時引っ張るバネ（縮んだ状態のバネ）７が設置され、このバネ７が伸び縮みすることによって、可動板５がガイド棒３に沿って上下動するようになっている。したがって、この可動板５の上下動、すなわち可動板５が固定板４に近づいたり、固定板４から離れたりすることによって止水パキン６が伸びたり、折れ曲がったりする。
【００１１】
この止水パッキン６は、図２の（１）に示すように、リング状のゴム板８であり、その上下が可動板５と固定板４との外縁側における嵌合突起９に嵌め込まれている。この嵌合突起９が止水パキン６の内側に差し込まれたことにより、止水パッキン６が外側に折れ曲がるようになっている。すなわち、図２の（２）に示すように、可動板５がバネ７の縮みによって固定板４に近づくと、止水パッキン６の上下端部が嵌合突起９に沿って滑りながら回転することにより外側に折れ曲がるようになっている。このように嵌合突起９がなければ止水パッキン６は外側に折れ曲がって止水の役目を果たすことができなくなる。
【００１２】
この可動板５はパッキン収縮調整棒の摘み１０を摘んで引き上げると、引き上げられて止水パッキン６を伸びた状態にする。このパッキン収縮調整棒１１の下端部にはロックピン１２が横に突出して形成され、これが鞘管１３のスライド溝１４を上下動するようになっている。
【００１３】
したがって、図２の（３）および（４）に示すように、パッキン収縮調整棒の摘み１０を摘んで可動板５を上側に引っ張り上げると、ロックピン１２もスライド溝１４をスライドして上に引き上げられるが、鞘管１３から引き抜かれたときに鞘管の上面１５に設置すると、可動板５がロックされて、図１に示した状態で固定され、止水パッキン６も伸びた状態になる。このときパッキン収縮調整棒１１が止水蓋２の中央部における収納スペース１６の穴１７から大きく突出する。
【００１４】
そして、このパッキン収縮調整棒１１を回転させて、ロックピン１２を鞘管の上面１５からスライド溝１４に入れて、摘み１０から手を離すと、図３に示すように、バネ７の縮む力（元に戻る力）によって可動板５が固定板４側に移動して止水パッキン６が外側に折れ曲がるとともに、パッキン収縮調整棒の摘み１０も止水蓋２の収納スペース１６に収納される。また止水蓋２の下面には外縁に沿って止水ゴム１８が設置されている。
【００１５】
なお、止水パッキン６はリング状のゴム板８の他に、リング状のチューブまたはリング状のスポンジであってもよい。
【００１６】
また図４は養生装置をスラブの駄目穴に設置する方法について説明したものである。まず、パッキン収縮調整棒の摘み１０を掴んで引き上げて、ロックピン１２をスライド溝１４から抜くと同時に回転させて鞘管の上面１５に設置する。このロックピン１２のロックにより可動板５がロックされて動かなるとともに、止水パッキン６も伸びた状態になる。
【００１７】
このときパッキン収縮調整棒１１は止水蓋２の上面から大きく突出した状態になっている。そして、この状態で図４の（１）に示すように、可動板５側をスラブの駄目穴１９に挿入するとともに、止水蓋２をスラブ２０に設置してスラブの駄目穴１９を塞ぐ。
【００１８】
次に、図４の（２）に示すように、パッキン収縮調整棒の摘み１０を掴んで回転させて、ロックピン１２を鞘管の上面１５からスライド溝１４に入れる。そして、摘み１０から手を離すと、バネ７の縮む力によってロックピンがスライド溝１４を下側にスライドする。これに伴って可動板５も固定板４側に移動して止水パッキン６を外側に折り曲げて駄目穴の内面に当接させる。またパッキン収縮調整棒の摘み１０も止水蓋２の収納スペース１６に収納される。
【００１９】
そして、この可動板５の下側に移動する力によって、止水蓋２もスラブ２０に押し付けられて止水ゴム１８を押し潰し、この止水ゴム１８と止水パッキン６とで止水した養生装置１がスラブ２０に設置される。この止水パッキン６が押し潰され、駄目穴１９のコンクリート表面に密着し、パッキン収縮調整棒１１のロックピン１２が解除されるとバネ７の自由収縮力により、さらに止水パッキン６が駄目穴１９のコンクリート表面に密着する。そして、このバネ７の自由収縮力により止水パッキン６と駄目穴１９のコンクリート表面に摩擦収縮抵抗が生じ、この摩擦収縮抵抗力によって止水ゴム１８と止水パッキン６との間に引っ張り力が生じ、止水ゴム１８と止水パッキン６の止水効果がさらに向上する。
またパッキン収縮調整棒の摘み１０も止水蓋２の収納スペース１６に収納されるので、歩行の障害にならない。
【００２０】
なお、この止水装置１を撤去するには、パッキン収縮調整棒の摘み１０を掴んで引き上げると、可動板５の移動によって、上記のように止水パッキン６が引き伸ばされるので簡単に撤去できる。
【００２１】
また図５および図６は第２の実施の形態の養生装置２１を示すものである。この養生装置２１は円形の止水蓋２と、この止水蓋２の下面に調整ボルト２２により適宜間隔をもって設置された円形の可動板５と、該可動板５と止水蓋２との間に設置された止水パッキン６とから構成されている。
【００２２】
また調整ボルト２２の下端部におけるナット２３には可動板５が固定され、この可動板５と止水蓋２との間には２本のガイド棒３が設置されている。このガイド棒３は調整ボルト２２の回転による可動板５の供回りを防ぐとともに、可動板５を安定的に上下動させるものである。また止水蓋２と可動板５との間の調整ボルト２２には保護材２４が設置されている。また止水蓋２の下面には外縁に沿って止水ゴム１８が設置され、止水蓋２の上面中央部には調整ボルトを挿入した穴１７を止水するパッキン２８が設置されている。
【００２３】
この止水パッキン６はリング状のチューブ２５であり、内部に空気またはその他の充填材が充填されている。したがって、調整ボルト２２を回転させると可動板５が上側に移動して止水チューブ２５を扁平に押し潰す。なお、止水パッキン６はリング状のチューブ２５の他に、リング状のゴム板またはリング状のスポンジであってもよい。
【００２４】
また図６は養生装置をスラブ駄目穴に設置する方法について説明したものである。まず、図６の（１）に示すように、可動板５側をスラブの駄目穴１９に挿入するとともに、止水蓋２をスラブ２０に設置して養生装置２１でスラブの駄目穴１９を塞ぐ。
【００２５】
次に、図６の（２）に示すように、調整ボルト２２を回転させて、可動板５をガイド棒３に沿って上側に移動させて止水チューブ２５を扁平に押し潰すと、これが可動板５から外側に突出してスラブの駄目穴１９の内面に当接する。そして、この可動板５が上側へ移動する力によって、止水蓋２もスラブ２０に押し付けられて止水ゴム１８を押し潰し、この止水ゴム１８と止水パッキン６とで止水した養生装置２１がスラブ２０に設置される。
【００２６】
なお、この止水装置２１を撤去するには、調整ボルト２２を回転させて可動板５を下側へ移動させると、止水チューブ２５が元に戻って駄目穴１９の内面から離れるので簡単に撤去できる。
【００２７】
また図７および図８は第３の実施の形態の養生装置２６を示したものである。この養生装置２６は止水パッキン６としてリング状のスポンジ２７を使用し、かつ止水蓋２と可動板５との間の調整ボルト２２に保護材２４を設置しないものであり、これ以外は上記の第２の実施の形態の養生装置２１と同じ構成である。
【００２８】
また、止水パッキン６はリング状のスポンジ２７の他に、リング状のゴム板またはリング状のチューブであってもよい。また養生装置２６をスラブの駄目穴１９に設置する方法と撤去する方法も、上記の第２の実施の形態の養生装置２１と同じ方法であり、同じ効果を奏するものである。
【図面の簡単な説明】
【００２９】
【図１】第１の実施の形態の養生装置であり、（１）は断面図、（２）は一部切欠平面図である。
【図２】（１）はゴム板の斜視図、（２）は可動板の一部省略断面図、（３）および（４）は鞘管の斜視図である。
【図３】止水パッキンが折り曲げられた養生装置の断面図である。
【図４】第１の実施の形態の養生装置の設置方法を示したものであり、（１）は止水パッキンを伸ばした養生装置の断面図、（２）は止水パッキンを折り曲げた養生装置の断面図である。
【図５】第２の実施の形態の養生装置であり、（１）は断面図、（２）は止水チューブの斜視図、（３）は一部切欠平面図である。
【図６】第２の実施の形態の養生装置の設置方法を示したものであり、（１）は止水パッキンを縮める断面図、（２）は止水パッキンを縮めた断面図である。
【図７】第３の実施の形態の養生装置であり、（１）は断面図、（２）は一部切欠平面図である。
【図８】第３の実施の形態の養生装置の設置方法を示した断面図である。
【図９】従来のスラブの駄目穴の養生方法を示した断面図である。
【符号の説明】
【００３０】
１、２１、２６  養生装置
２  止水蓋
３  ガイド棒
４  固定板
５  可動板
６  止水パッキン
７  バネ
８  ゴム板
９  嵌合突起
１０  摘み
１１  パッキン収縮調整棒
１２  ロックピン
１３  鞘管
１４  スライド溝
１５  鞘管の上面
１６  収納スペース
１７  穴
１８  止水ゴム
１９、３０  スラブの駄目穴
２０  スラブ
２２  調整ボルト
２３  ナット
２４  保護材
２５  チューブ
２７  スポンジ
２８  パッキン
３１  合板
３２  止水モルタル
【図１】
2008163645.tif 000003
【図２】
2008163645.tif 000004
【図３】
2008163645.tif 000005
【図４】
2008163645.tif 000006
【図５】
2008163645.tif 000007
【図６】
2008163645.tif 000008
【図７】
2008163645.tif 000009
【図８】
2008163645.tif 000010
【図９】
2008163645.tif 000011